(57)【要約】【課題】  折部が自動的に拡開することによって、片手のみで収納物の取り出し等が可能であり、製造工程が単純で部品点数が少なく、且つ製造コストを低減することが可能な、折部自動拡開構造を提供する。【解決手段】  二つ折り可能な構成部材の折部を、自動的に拡開しうる折部自動拡開構造であって、上記折部自動拡開構造は、上記構成部材の内側面部において上記折部を跨いで当接して配置され、上記構成部材の折部を、拡開方向に付勢する付勢部材を備えた構成とする。【選択図】  図１
0003165343.tif 000002
【実用新案登録請求の範囲】
【請求項１】
二つ折り可能な構成部材の折部を、自動的に拡開しうる折部自動拡開構造であって、
上記折部自動拡開構造は、上記構成部材の内側面部において上記折部を跨いで当接して配置され、上記構成部材の折部を、拡開方向に付勢する付勢部材を備えることを特徴とする折部自動拡開構造。
【請求項２】
上記付勢部材は板状に形成された板状バネであることを特徴とする請求項１記載の折部自動拡開構造。
【請求項３】
上記板状バネは、所定の長さ寸法を有する、帯状に形成された帯板状バネであることを特徴とする請求項２記載の折部自動拡開構造。
【請求項４】
上記帯板状バネは、幅方向断面円弧状に形成されていることを特徴とする請求項３記載の折部自動拡開構造。
【請求項５】
上記帯板状バネにおいて、上記構成部材の折部に当接する部位は、幅方向断面円弧状に形成されていることを特徴とする請求項３記載の折部自動拡開構造。
【請求項６】
上記帯板状バネは、付勢力が作用しない状態で、長さ方向中央部に対して、長さ方向両端部が所定角度屈曲して形成されていることを特徴とする請求項３記載の折部自動拡開構造。
【請求項７】
上記折部自動拡開構造は、上記付勢部材を複数備えることを特徴とする請求項１記載の折部自動拡開構造。
【請求項８】
上記付勢部材は、金属製であることを特徴とする請求項１記載の折部自動拡開構造。
【請求項９】
上記付勢部材は、合成樹脂製であることを特徴とする請求項１記載の折部自動拡開構造。
【考案の詳細な説明】
【技術分野】
【０００１】
本考案は、二つ折り可能な構成部材の折部を自動的に拡開するとともに、拡開状態を保持しうる、折部自動拡開構造に関する。
【背景技術】
【０００２】
二つ折り可能な構成部材を有する製品としては、財布、札入れ、小物入れ等の収納具の他、システム手帳等の文房具に至るまで、多数の種類の製品が流通している。
【０００３】
図５は、上記製品の例として、クレジットカード等のカードを収納するカード収納部７３、紙幣を収納する紙幣収納部７４、及び硬貨を収納する硬貨収納部７５を備えた、財布７０の一形態を示し、（ａ）は、外側板部７１を折部７６を介して折り畳んだ状態を示す全体斜視図、（ｂ）は、外側板部７１を拡開した状態を示す側面図、（ｃ）は、外側板部７１を拡開した状態の全体斜視図である。
【０００４】
図５（ａ）に示すように、財布７０は、皮革からなる長方形の外側板部７１と、上記外側板部７１の長さ方向一端部に延設された蓋板部７２と、図５（ｃ）に示すように、上記外側板部７１の内側面部１１ａに配設され、複数に仕切られたカード収納部７３、７３．．と、複数に仕切られた紙幣収納部７４、７４．．と、２つに仕切られた硬貨収納部７５、７５とから形成されている。
また、図５（ｂ）に示すように、上記外側板部７１は長さ方向略中央部において、上記外側板部７１の幅方向に沿って形成された、折部７６を介して二つ折り可能に形成されている。
【０００５】
また、図５（ｃ）に示すように、上記カード収納部７３、７３．．と、複数に仕切られた紙幣収納部７４、７４．．と、２つに仕切られた硬貨収納部７５、７５の両端部は、襠部７７、７７によって蛇腹状に連結され、上記襠部７７、７７の両端部は、上記外側板部７１の内側面部７１ａに固定されている。
【０００６】
また、図５（ａ）に示すように、上記蓋板部７２の反外側板部７１側端部の幅方向中央部には、上記外側板部７１を折部７６で二つ折りに折畳んだ状態で、上記蓋板部７２により、上記カード収納部７３、紙幣収納部７４、及び硬貨収納部７５を蓋板部７２を被覆した場合に、上記外側板部７１の長さ方向他端部の外側面部７１ｂに設けられた、係合部７８に係合しうる、係合突起部７９が配設されている。
【０００７】
図５（ａ）に示すように、上記財布７０から、収納したクレジットカード等のカード類、若しくは紙幣（図５には示せず）等を出し入れする場合には、一方の手で、上記外側板部７１の折部７６近傍付近を把持し、上記係合部７８に配設された係合解除用摘み８０、８０を、指で把持して互いに近づける方向に移動させることによって、上記係合突起部７９と上記係合部７８との係合を解除する。
更に、図５（ｂ）、（ｃ）に示すように、他方の手で、蓋板部７２を上方に開放し、更に、上記カード収納部７３と上記紙幣収納部７４を指等で拡開して、収納されているクレジットカード等の出し入れ操作を行う。
従って、クレジットカード等の出し入れに伴う、上記一連の操作には、必ず、両手が必要となり、荷物を持っている等で片手が塞がっている場合には、収納したクレジットカード等を、スムーズに出し入れすることができないという不具合を有していた。
【０００８】
上記の不具合は、図５に示す財布７０以外であっても、財布７０と同様に、折部を有する外側板部を備えた、他の収納具おいても共通する不具合である。
また、収納具以外であっても、例えば、二つ折り可能な表紙板部を有するバインダ、若しくはシステム手帳等の文房具製品等の場合、片手のみでは、ページを見開き状態にすることが困難であるという、不具合を有している。
【０００９】
上記不具合を解決するため、上記の各製品において、二つ折り可能な構成部材の折部を、自動的に拡開する折部自動拡開構造を装備する方法として、例えば、ヒンジ部を備え、上記ヒンジ部を拡開する方向に付勢するスプリング等の付勢部材が組込まれた金属製の骨組みを予め準備し、上記骨組みを、対象製品の二つ折り可能な構成部材の周縁部、及び折部に埋設する等の方法が考えられる。
しかしながら、上記方法は、非常に複雑な加工作業が必要であると共に、多数の構成部品を必要とすることから、製造工程が複雑化し、製品の製造コストが大幅に上昇する。
また、必要な部品点数が多くなることから、完成製品の全体重量が大きくなり、製品の取り扱いが困難となるという別途の不具合をも有していた。
【考案の開示】
【考案が解決しようとする課題】
【００１０】
本考案の課題は、上記不具合を解消し、構成部材の折部を自動的に拡開することによって、例えば折部を有する外側板部を備えた収納具に適用した場合には、片手のみで収納物の取り出し等が可能であり、製造工程が単純で部品点数が少なく、且つ製造コストを低減することが可能な、折部自動拡開構造を提供することにある。
【課題を解決するための手段】
【００１１】
上記課題を解決するため、請求項１に記載した考案に係る折部自動拡開構造は、二つ折り可能な構成部材の折部を、自動的に拡開しうる折部自動拡開構造であって、上記構成部材の内側面部において上記折部を跨いで当接して配置され、上記構成部材の折部を、拡開方向に付勢する付勢部材を備えることを特徴とする。
従って、上記付勢部材の付勢力によって、上記構成部材の折部が、自動的に拡開し、且つ拡開状態を保持することができる。
【００１２】
また、請求項２に記載した考案に係る折部自動拡開構造は、上記付勢部材は板状に形成された板状バネであることを特徴とする。
また、請求項３に記載した考案に係る折部自動拡開構造は、上記板状バネは、所定の長さ寸法を有する、帯状に形成された帯板状バネであることを特徴とする。
従って、付勢部材を、構造が単純で、薄く且つ軽量に形成することができる。
【００１３】
また、請求項４に記載した考案にあっては、上記帯板状バネは、幅方向断面円弧状に形成されていることを特徴とする。
また、請求項５に記載した考案にあっては、上記構成部材の折部に当接する部位は、幅方向断面円弧状に形成されていることを特徴とする。
【００１４】
一般的に帯板状バネの付勢力を大きく為には、上記帯板状バネの幅寸法、若しくは厚さ寸法を大きくする必要があるが、幅寸法を大きくした場合には、製品の種別によっては構成部材の内側に収まらない虞があると共に、厚さ寸法を大きくした場合には、重量が大きくなり、製品の取り扱いが困難となり、構成部材に配設した場合に目立つため、外観品質が低下する。
このため、帯板状バネの幅寸法及び厚さ寸法は所定範囲内に制限される。
【００１５】
請求項４及び請求項５に記載した考案においては、帯板状バネの長さ方向全域、若しくは構成部材の折部に当接する部位を幅方向断面円弧状になるように形成するため、平面状に形成されている帯板状バネの場合と比較して、同一の厚さ寸法であっても、折り曲げに対して、より強い復元力、即ち上記構成部材の折部を、拡開方向に付勢する付勢力を得ることができる。
【００１６】
また、請求項６に記載した考案に係る折部自動拡開構造は、上記帯板状バネは、付勢力が作用しない状態で、長さ方向中央部に対して、長さ方向両端部が所定角度屈曲して形成されていることを特徴とする。
従って、上記帯板状バネを構成部材の内側面部において、上記折部を跨いで当接して配置した場合、上記所定の屈曲角度までは、自動的に、上記構成部材の折部が拡開されると共に、当該屈曲角度で拡開状態が保持される。
【００１７】
また、請求項７に記載した考案に係る折部自動拡開構造は、上記折部自動拡開構造は、上記付勢部材を複数備えることを特徴とする。
従って、付勢部材の配設を変更するによって、付勢力を調整することができる。
【００１８】
また、請求項８に記載した考案に係る折部自動拡開構造は、上記付勢部材は、金属製であることを特徴とする。
【００１９】
また、請求項９に記載した考案に係る折部自動拡開構造は、上記付勢部材は、合成樹脂製であることを特徴とする。
【考案の効果】
【００２０】
請求項１の考案にあっては、折部を介して二つ折り可能な構成部材の折部を、自動的に拡開しうる折部自動拡開構造であって、上記構成部材の内側面部において上記折部を跨いで当接して配置され、上記構成部材の折部を、拡開方向に付勢する付勢部材を備えることから、上記付勢部材の付勢力によって、上記構成部材の折部が自動的に拡開し、且つ拡開状態を保持することができる。
従って、構成部材の折部が、自動的に拡開されることによって、例えば折部を有する外側板部を備えた収納具に適用した場合には、片手のみで上記収納具から収納物を出し入れすることができる。
更に、上記付勢部材以外には、特別な構成部品を必要としないことから、製造工程が単純で部品点数が少なく、且つ製造コストを低減することが可能な、折部自動拡開構造を提供することができる。
【００２１】
請求項２に記載した考案に係る折部自動拡開構造は、上記付勢部材は板状に形成された板状バネである。
また、請求項３に記載した考案に係る折部自動拡開構造は、上記板状バネは、所定の長さ寸法を有する、帯状に形成された帯板状バネである。
従って、付勢部材を、構造が単純で、薄く且つ軽量に形成することができるため、製品重量の増大及び製品の外観品質の低下を防止することができる。
【００２２】
また、請求項４に記載した考案にあっては、上記帯板状バネは、幅方向断面円弧状に形成されている。
また、請求項５に記載した考案にあっては、上記構成部材の折部に当接する部位は、幅方向断面円弧状に形成されている。
従って、平面状に形成された帯板状バネと比較して、同一の厚さ寸法であっても、より強い折り曲げ復元力、すなわち上記構成部材の折部を、拡開方向に付勢する付勢力を得ることができるため、帯板状バネの重量を軽減すると共に、製品の構成部材の内側に配置した場合にも、製品の外観品質を損なう虞がない。
【００２３】
また、請求項６の考案にあっては、上記帯板状バネは、付勢力が作用しない状態で、長さ方向中央部に対して、長さ方向両端部が所定角度屈曲して形成されていることから、屈曲角度を調整することによって、折部を拡開させる角度を自由に調整することができる。
【００２４】
また、請求項７の考案にあっては、上記折部自動拡開構造は、上記付勢部材を複数備えることから、付勢部材の配設数によって、付勢力を調整することができるため、折部の拡開角度を自由に調整することができる。
【００２５】
また、請求項８の考案にあっては、上記付勢部材は、金属製であることから耐久性が高く、繰り返し折り曲げられた場合であっても付勢力が低下し難い。
【００２６】
また、請求項９に記載した考案に係る折部自動拡開構造は、上記付勢部材は、合成樹脂製であることから、金属製の場合と比較して、より軽量であり、且つ材料コストを低減することができる。
【図面の簡単な説明】
【００２７】
【図１】本考案に係る折部自動拡開構造を財布に適用した場合の実施例の形態を示し、（ａ）は財布の外側板部を、折部を介して二つ折りにした状態を示す全体斜視図、（ｂ）は外側板部の折部を拡開した状態を示す側面図、（ｃ）は外側板部の折部を拡開した状態の全体斜視図である。
【図２】本考案に係る折部自動拡開構造を口金付の硬貨収納部を有する財布に適用して場合の実施例の形態を示し、（ａ）は硬貨収納部の開口部を閉止した状態、（ｂ）は硬貨収納部の開口部を拡開した状態を示す全体斜視図である。
【図３】本考案に係る折部自動拡開構造、システム手帳の表紙板に適用した場合の実施例の形態を示し、（ａ）は表紙板を閉じた状態を示す全体斜視図、（ｂ）は表紙板を開いた状態を示す全体斜視図である。
【図４】本考案に係る折部自動拡開構造に用いる帯板状バネの形態を示し（ａ）は長さ方向全域において、幅方向断面を円弧状に形成した場合（ｂ）は、長さ方向略中央部を円弧状に形成した場合、（ｃ）は、長さ方向略中央部を円弧状に形成すると共に、長さ方向中央部に対して、長さ方向両端部が所定角度屈曲して形成された場合を夫々示す全体斜視図である。
【図５】従来の財布の形態を示し、（ａ）は財布の外側板部を、折部を介して二つ折りにした状態を示す全体斜視図、（ｂ）は外側板部の折部を拡開した状態を示す側面図、（ｃ）は外側板部の折部を拡開した状態の全体斜視図である。
【考案を実施するための最良の形態】
【００２８】
以下、本考案に係る折部自動拡開構造を、付勢部材が帯板状バネからなり、クレジットカード等のカードを収納するカード収納部、紙幣収納部、及び硬貨収納部を備えた財布の、外側板部に適用した場合を例として、添付図面を用いて説明する。  
図１（ｃ）に示すように、本実施の形態に係る構成部材の折部自動拡開構造３０は、折部１６を介して二つ折り可能な外側板部１１を構成部品として備える財布１０において、上記外側板部１１の内側面部１１ａにおいて上記折部１６を跨いで当接して配置され、上記外側板部１１の折部１６を、拡開方向に付勢する２本の金属製の帯板状バネ３１、３１を備えている。
また、図４（ａ）に示すように、上記帯板状バネ３１、３１は、幅方向断面円弧状となるように形成されている。
【実施例１】
【００２９】
上記形態の本実施例の構成について以下図面を用いて詳述する。
図１（ａ）に示すように、本実施例に係る財布１０は、皮革からなる長方形の外側板部１１と、上記外側板部１１の長さ方向一端部に延設された蓋板部１２と、図１（ｃ）に示すように、上記外側板部１１の折部１６の内側面部１１ａに配設され、複数に仕切られたカード収納部１３、１３．．と、複数に仕切られた紙幣収納部１４、１４．．と、２つに仕切られた硬貨収納部１５、１５とから形成されている。
また、図１（ｂ）に示すように、上記外側板部１１は長さ方向略中央部において幅方向に沿って形成された折部１６を介して二つ折り可能に形成されている。
【００３０】
また、図１（ｃ）に示すように、上記カード収納部１３、１３．．と、複数に仕切られた紙幣収納部１４、１４．．と、２つに仕切られた硬貨収納部１５、１５はの両端部は、襠部１７、１７によって蛇腹状に連設され、上記襠部１７、１７の両端部は、上記外側板部１１の内側面部１１ａに固定されている。
【００３１】
また、図１（ａ）に示すように、上記蓋板部１２の反外側板部１１側端部の幅方向中央部には、上記外側板部１１を折部１６で二つ折りに折畳んだ状態で、上記蓋板部１２によって、上記カード収納部１３、紙幣収納部１４、及び硬貨収納部１５を蓋板部１２で被覆した場合に、上記外側板部１１の長さ方向他端部の外側面部１１ｂに設けられた係合部１８に係合しうる、係合突起部１９が配設されている。
【００３２】
また、図１（ｃ）に示すように、本実施例に係る折部自動拡開構造３０の帯板状バネ３１、３１は、上記財布１０の外側板部１１の内側面部１１ａにおいて、折部１６を跨いで、円弧状部分の膨出面部が当接するように配置されている。
【００３３】
なお、上記帯板状バネ３１を上記外側板部１１の内側面部１１ａに固定する手段は特に限定する必要はないが、本実施例においては、外側板部１１の内側面部１１ａの長さ方向両端部に、上記帯板状バネ３１の両端部を挿入しうるポケット部２０、２０、２０、２０が配設され、上記ポケット部２０、２０、２０、２０に上記帯板状バネ３１、３１の両端部が挿入されることによって、上記帯板状バネ３１、３１が、上記外側板部１１の内側面部１１ａの所定位置に固定されている。
【００３４】
以下、本実施例の作用について添付図面を用いて説明する。
図１（ａ）に示すように、上記財布１０から、収納したクレジットカード等のカード類、若しくは紙幣（図１には示せず）を出し入れする場合には、一方の手で、上記外側板部１１の折部１６近傍付近を把持するか、若しくは、上記係合部１８が上側となるように載置し、上記係合部１８に配設された係合解除用摘み２１、２１を指で把持して、互いに近づける方向に移動させることによって、上記係合突起部１９と上記係合部１８との係合を解除する。
【００３５】
上記操作によって、帯板状バネ３１、３１の付勢力が、上外側板部１１に対して、上記外側板部１１の折部１６を拡開する方向に作用することから、自動的に蓋板部１２が持ち上げられ、且つ上記外側板部１１が所定角度まで自動的に拡開され、拡開状態が保持される。
上記により、襠部１７、１７も上記外側板部１１に連動して伸延し、上記カード収納部１３、１３．．、紙幣収納部１４、１４．．、及び硬貨収納部１５、１５についても拡開した状態に保持される。
【００３６】
従って、上記係合突起部１９と上記係合部１８との係合を解除した後に、手を使って上記カード収納部１３、１３．．、紙幣収納部１４、１４．．、及び硬貨収納部１５、１５を拡開させる必要がない。
このため、買い物時等において、片手が荷物で塞がっている場合であっても、上記財布１０をレジ台等に載置した状態から、空いている、もう一方の手で、上記係合突起部１９と上記係合部１８との係合を解除することによって、自動的に、上記カード収納部１３等を拡開した状態にすることができるため、クレジットカード、紙幣等の収納物を簡単に取り出すことができる。
【００３７】
また、折部自動拡開構造３０は、２本の帯板状バネ３１、３１のみから構成されていることから、構造は極めて単純であり、既存の製造工程の内容を大きく変更するとなく、上記帯板状バネ３１、３１を外側板部１１の内側面部に配置する工程を組み立て工程に追加するのみで対応することができるため、製造コストの増加を非常に少なく抑えることができる。
また、部品点数が少ないことから、製品重量、及び製品の外観品質にも影響を与えることがない。
【００３８】
なお、本実施例においては、カード収納部１３、紙幣収納部１４、硬貨収納部１５の数、配置順序、形状等を変更しても、本実施例の作用及び効果には直接関連せず、また、一部の収納部を有さない構成であっても同様の作用効果を得ることができる。
【実施例２】
【００３９】
また、本考案に係る折部自動拡開構造は、図２（ａ）、（ｂ）に示すように、二つ折りの札入れ付財布４０において、帯板状バネ３１、３１を、硬貨収納部４１の外側板部４２の内側面部４２ａに折部４３を跨いで当接して配設した形態とすることもできる。
【００４０】
本実施例にあっては、図２（ａ）に示すように、硬貨収納部４１の開口部４４を閉止している口金４５、４５の係合を解除すると、上記帯板状バネ３１、３１の付勢力が、上記硬貨収納部４１の外側板部４２の折部４３を拡開させる方向に作用し、上記外側板部４２の拡開に合わせて、硬貨収納部４１の開口部４４が自動的に拡開することから、収納した硬貨をより取り出し易くなる。
【実施例３】
【００４１】
また、本考案に係る折部自動拡開構造は、財布等の収納具の他、図３（ａ）、（ｂ）に示すように、システム手帳５０において、帯板状バネ３１、３１を、上記システム手帳５０の表紙板部５１の内側面部５１ａに、折部５２を跨ぐように当接して配設した形態とすることもできる。
【００４２】
本実施例にあっては、図３（ａ）に示すように、システム手帳５０の表紙板部５１を閉じた状態で、閉じ帯５３を上方となるように載置し、上記閉じ帯５３と上記外側板部５１との係合ボタン５４の係合を解除すると、上記帯板状バネ３１、３１の付勢力が上記表紙板部５１の折部５２を拡開させる方向に作用し、上記表紙板部５１が自動的拡開することから、片手が使用できない場合であっても、参照したいページを迅速に検索することができる。
【００４３】
なお、上記実施例１から実施例３においては、帯板状バネ３１は、長さ方向全域において、幅方向断面円弧状に形成された形態としたが、図４（ｂ）、に示すように、長さ方向中央部のみ、幅方向断面円弧状に形成した場合であっても、実施例１から実施例３と同様の作用及び効果を得ることができる。
また、拡開角度を所定角度に制限する場合には、図４（ｃ）に示すように、帯板状バネ３１を、付勢力が作用しない状態で、長さ方向中央部に対して、長さ方向両端部を所定角度屈曲するように形成することによって、自動的に拡開する角度を上記所定角度に制限することができる。
【００４４】
また、帯板状バネの長さ寸法、幅寸法、及び配設本数については、対象製品の大きさ、拡開させるために必要な付勢力の大きさ等によって適宜変更することができる。
【００４５】
また、帯板状バネは、本実施例に示した方法の他、構成部材の内側面部に接着剤等で貼設して配置しても良い。
【００４６】
また、本考案は、実施例１から実施例３に記載した製品以外であっても、折部を介して二つ折り可能な構成部材を備える製品であれば、製品の大きさによらず、鞄等の手持ち収納具、バインダ等の文房具用品に至る全ての種類の製品に対して適用することが可能であり、また、一つの製品において、本実施例に係る折目自動拡開構造を複数箇所適用することもできる。
この際、構成部材の拡開に必要な付勢力は、帯板状バネの長さ寸法、幅寸法、厚さ寸法、及び配設本数によって適宜調整することができる。
【産業上の利用可能性】
【００４７】
本考案は、二つ折り可能な構成部材二つ折り可能な構成部材の折部を、自動的に拡開しうる折部自動拡開構造に適用可能である。
【符号の説明】
【００４８】
１０  財布
１１  外側板部
１１ａ外側板部の内側面部
１１ｂ外側板部の外側面部
１２  蓋板部
１３  カード収納部
１４  紙幣収納部
１５  硬貨収納部
１６  折部
１７  襠部
１８  係合部
１９  係合突起部
２０  ポケット部
２１  係合解除用摘み
３０  折部自動拡開構造
３１  帯板状バネ
４０  二つ折りの札入れ付財布
４１  硬貨収納部
４２  外側板部
４２ａ外側板部の内側面部
４３  折部
４４  硬貨収納部の開口部
４５  口金
５０  システム手帳
５１  表紙板部
５１ａ表紙板部の内側面部
５２  折部
５３  閉じ帯
５４  係合ボタン
７０  財布
７１  外側板部
７１ａ外側板部の内側面部
７１ｂ外側板部の外側面部
７２  蓋板部
７３  カード収納部
７４  紙幣収納部
７５  硬貨収納部
７６  折部
７７  襠部
７８  係合部
７９  係合突起部
８０  係合解除用摘み
【図１】
0003165343.tif 000003
【図２】
0003165343.tif 000004
【図３】
0003165343.tif 000005
【図４】
0003165343.tif 000006
【図５】
0003165343.tif 000007